(57)【要約】【課題】可搬性が高く、冷却ガスを均等に分散できる上に使用者の高さの違いに関わらず使用可能である。【解決手段】極低温リカバリー装置１は、使用者が乗るステップ台と、ステップ台に乗った使用者の身体を囲うことができる昇降可能なカバー筒体１０と、カバー筒体１０内でステップ台の下側に設けていて液体窒素の冷却ガスを高圧で噴出する一対のノズルとを備えた。カバー筒体１０は下部フレーム１２に取り付けたガイドロッド１３に沿って昇降する昇降支持部１６に沿って伸縮する。ノズルは径方向外側に向けて設け、先端に水平方向と上向き角度で延びるガイド線を設けた。ノズルから噴出する冷却ガスはガイド線にガイドされて、ステップ台とカバー筒体１０の隙間からカバー筒体１０の内周面に沿って螺旋状に旋回しながら上方に送られて撹拌される。【選択図】図１
2019146922.tif 000002
【特許請求の範囲】
【請求項１】
使用者が載置可能な基台と、
前記基台に乗った使用者の身体を囲うことができる昇降可能なカバー筒体と、
前記カバー筒体内で冷却ガスを下方から上方に向けて流れるように噴き出す冷却ガス噴出手段と、
を備えたことを特徴とする極低温リカバリー装置。
【請求項２】
前記冷却ガス噴出手段は前記カバー筒体の下部に設けたノズルを有しており、
前記ノズルから噴き出された冷却ガスは前記カバー筒体の内周面に沿って螺旋状に旋回する請求項１に記載された極低温リカバリー装置。
【請求項３】
前記ノズルは前記基台の下側に設けられ、前記ノズルから噴き出された冷却ガスは前記基台と前記カバー筒体の隙間を通って前記カバー筒体の内周面に沿って螺旋状に旋回しながら上方に流れる請求項２に記載された極低温リカバリー装置。
【請求項４】
前記カバー筒体の昇降作動をガイドする複数のガイドロッドが設けられ、前記複数のガイドロッドは前記カバー筒体の周囲の一部に沿って配列されている請求項１から３のいずれか１項に記載された極低温リカバリー装置。
【請求項５】
前記カバー筒体を昇降作動させる駆動装置が設置され、
前記駆動装置には前記カバー筒体を通常の昇降動作よりも低速または急速に降下させる非常停止手段が設けられている請求項１から４のいずれか１項に記載された極低温リカバリー装置。
【請求項６】
前記カバー筒体を昇降作動させる駆動装置と、前記カバー筒体を駆動装置に連結して前記カバー筒体を昇降作動させる索状部材とを備えており、
前記索状部材には互いに分離可能な係止部材が備えられた請求項１から５のいずれか１項に記載された極低温リカバリー装置。
【請求項７】
前記カバー筒体と、前記カバー筒体の昇降作動をガイドする複数のガイドロッドと、前記駆動装置及び冷却ガスの貯蔵タンクと、を互いに分離及び組立可能とした請求項５または６に記載された極低温リカバリー装置。
【発明の詳細な説明】
【技術分野】
【０００１】
本発明は、疲労回復、治療、美容等のために極低温の冷却ガスで包むことのできる極低温リカバリー装置に関する。
【背景技術】
【０００２】
近年、スポーツ選手のリカバリー（疲労回復）手段として液体窒素ガスを用いた全身のクライオセラピー（冷却療法）が利用されている。クライオセラピーはスポーツ選手のリカバリー治療だけでなく、リウマチ等の関節炎や内臓疾患や皮膚疾患等の治療、美容やアンチエイジング等を目的とした治療や療法等にも用いられている。クライオセラピーは液体窒素ガス等の冷却ガスを用いて例えば−１２０℃〜−１８０℃の極低温冷却空間を作り出して、低温環境下で引き起こされる身体反応に基づく理学療法である。
【０００３】
このようなクライオセラピーに用いる装置として、例えば特許文献１に記載されたクライオサウナが提案されている。この装置は有底筒状に形成された治療ボックス内のステージ上に治療を受ける人（以下、使用者という）が立ち、治療ボックスに並設された冷却ガス供給装置から治療ボックス内に冷却ガスを供給している。
使用者はステージ上で治療ボックスから頭部を上方に突出させて立ち、冷却ガス供給装置の貯蔵タンクから液体窒素を供給して冷却ガスを発生させ、治療ボックスの上部噴き出し口から内部に供給している。冷却ガスは治療ボックス内で上部から下方に流れ、例えば−１４８℃〜１６６℃程度の極低温で数秒から数分間にわたって使用者に接触させて治療し、下部の排気口から外部に排出させる。また、治療ボックス内の上部噴き出し口の高さが一定であるため、使用者の背の高さに応じて、治療ボックス内の下部に設けた昇降可能なリフトで高さ調整をする必要があった。
【先行技術文献】
【特許文献】
【０００４】
【特許文献１】米国特許出願公開第２０１３／００２５３０２号明細書
【発明の概要】
【発明が解決しようとする課題】
【０００５】
しかしながら、上述した特許文献１に記載のクライオサウナは大型で重く持ち運びが困難であるという問題があったため、スポーツ選手の遠征先等に移動できなかった。しかも、極低温の冷却ガスが治療ボックス内の上部から下方に流れる通り道が形成されるため流路が偏って身体の一部が冷えすぎてしまい、治療効率が悪かった。このような不具合を防ぐためには使用者が治療中に回転する必要があった。
しかも、治療ボックス内に使用者が立っていると上部噴き出し口から噴出される冷却ガスが使用者の身体に当たって流れが変わるため、冷却ガスが治療ボックス内で均等に分散されず、この点でも治療効率が悪かった。
また、使用者の背の高さに応じてリフトで高さ調整する場合でも、リフトの可動範囲に制限があるため、使用者の背丈が適合しないと治療を受けられないという問題があった。
【０００６】
本発明は、このような課題に鑑みてなされたものであり、可搬性が高くて冷却ガスを均等に分散できる上に、使用者の高さの違いに関わらず使用可能な極低温リカバリー装置を提供することを目的とする。
【課題を解決するための手段】
【０００７】
本発明による極低温リカバリー装置は、使用者が載置可能な基台と、基台に乗った使用者の身体を囲うことができる昇降可能なカバー筒体と、カバー筒体内で冷却ガスを下方から上方に向けて流れるように噴き出す冷却ガス噴出手段と、を備えたことを特徴とする。
本発明によれば、基台に乗った使用者の背丈に応じてカバー筒体を上昇させることで適切な高さに設定でき、その後、冷却ガス噴射手段によってカバー筒体内に下方から上方に冷却ガスを噴出させることでより均等に冷却ガスを分散させて充満させることができる。カバー筒体内で冷却ガスによって使用者の身体を包囲できるため、好適な治療が受けられる。また、使用者を囲うカバー筒体を昇降可能に設けたため、小型で軽量なものを使用できると共に分割して搬送することができる。
【０００８】
また、冷却ガス噴出手段はカバー筒体の下部に設けたノズルを有しており、ノズルから噴き出された冷却ガスはカバー筒体の内周面に沿って螺旋状に旋回することが好ましい。
ノズルから噴出した冷却ガスをカバー筒体の内周面に沿って螺旋状に旋回させながら下部から上方に流すことで、冷却ガスを均等に使用者の身体に接触させて充満させることができる。
【０００９】
また、ノズルは基台の下側に設けられ、ノズルから噴き出された冷却ガスは基台とカバー筒体の隙間を通ってカバー筒体の内周面に沿って螺旋状に旋回しながら上方に流れることが好ましい。
ノズルから噴き出された冷却ガスを基台とカバー筒体の隙間を通って上方に流すことで、冷却ガスはカバー筒体の内周面に沿って螺旋状に旋回しながら上昇するため、基台に乗った使用者に直接冷却ガスが当たらない上に、使用者の身体に均等に接触する。
【００１０】
また、カバー筒体の昇降作動をガイドする複数のガイドロッドが設けられ、複数のガイドロッドはカバー筒体の周囲の一部に沿って配列されていることが好ましい。
ガイドロッドがカバー筒体の周囲の一部分に沿って配列されているため、カバーロッドを設けない領域から使用者が出入りできる。
【００１１】
また、カバー筒体を昇降作動させる駆動装置が設置され、駆動装置にはカバー筒体を通常の昇降動作よりも低速または急速に降下させる非常停止手段が設けられていてもよい。
極低温リカバリー装置の使用時に使用者の体調不良等が生じた場合には、非常停止手段を操作することで、カバー筒体を低速または急速に降下できるため、使用者の脱出をスムーズにできる。なお、カバー筒体を低速で降下させる場合には、使用者の指等が挟まれることを防止できる。
【００１２】
また、カバー筒体を昇降作動させる駆動装置と、カバー筒体を駆動装置に連結してカバー筒体を昇降作動させる索状部材とを備えており、索状部材には互いに分離可能な係止部材が備えられていてもよい。
停電等の際に、作業者が手動で索状部材の係止部材を分離することで、カバー筒体を急速に降下させることができて使用者が脱出できる。
【００１３】
また、カバー筒体と、カバー筒体の昇降作動をガイドする複数のガイドロッドと、駆動装置及び冷却ガスの貯蔵タンクと、を互いに分離及び組立可能としてもよい。
これにより、極低温リカバリー装置をカバー筒体と複数のガイドロッドと駆動装置及び貯蔵タンクとに分離して持ち運びできると共に、持ち運び場所での組み立ても容易である。
【発明の効果】
【００１４】
本発明による極低温リカバリー装置によれば、使用者を囲むカバー筒体を昇降可能に設けたため、使用者の背丈や治療部位に応じてカバー筒体の高さを調整可能である上に、カバー筒体が小型軽量であるため、各部品毎に分離して持ち運びできて移動が容易である。
また、カバー筒体に供給する冷却ガスを下方から上方に流れるようにしたため、カバー筒体内で均等に分散して充満され、冷却ガスを効率的に治療のために供給できる。
【図面の簡単な説明】
【００１５】
【図１】本発明の実施形態による極低温リカバリー装置の斜視図である。
【図２】カバー筒体を降下させた極低温リカバリー装置の斜視図である。
【図３】治療ボックスの底部を示す図である。
【図４】治療ボックスの底部の上にステップ台を設置した図である。
【図５】図４に示すステップ台を下側から見た斜視図である。
【図６】カバー筒体の内部における冷却ガスの流れを説明する説明図である。
【図７】カバー筒体を昇降させるワイヤの係止部材を示す図である。
【図８】カバー筒体の昇降を制御する駆動装置の構成を示す要部拡大図である。
【図９】駆動装置に設置した冷却ガスの排気用ファンを示す要部拡大図である。
【図１０】実施形態による極低温リカバリー装置の使用状態を示す斜視図である。
【発明を実施するための形態】
【００１６】
以下、添付図面を参照して、本発明の実施形態による極低温リカバリー装置について説明する。
図１は実施形態による極低温リカバリー装置１の斜視図である。極低温リカバリー装置１は、使用者が出入りできる治療ボックス２と、液体窒素を貯蔵した貯蔵タンク３と、治療ボックス２の作動機構と貯蔵タンク３内の液体窒素から冷却ガスを発生させて治療ボックス２に供給する供給機構を内蔵した駆動装置４と、を備えている。駆動装置４には無線または有線で操作する操作パネル５を備えた操作スタンド６が別個に設置されている。
【００１７】
治療ボックス２について図１乃至図７により詳細に説明する。
図１及び図２において、治療ボックス２は、その骨格をなすフレーム部９と、フレーム部９に沿って昇降可能（伸縮可能）な蛇腹状のカバー筒体１０とを備えている。フレーム部９は床面に設置される例えばリング状の下部フレーム１２と、下部フレーム１２の略半円状または円弧状の部分で所定間隔を開けて複数本、例えば３本固定された上下方向に延びるガイドロッド１３と、ガイドロッド１３の上端部を連結する略円弧状の連結フレーム１４とを備えている。
【００１８】
３本のガイドロッド１３において、下部フレーム１２と連結フレーム１４の間には略円弧状の昇降支持部１６が設置されている。昇降支持部１６は略円弧状に形成されていて各ガイドロッド１３が挿通する３つの貫通孔を設けた昇降ガイド１６ａと、昇降ガイド１６ａの内側に一体形成された略リング状の支持リング１６ｂとを備えている。そのため、昇降支持部１６は下部フレーム１２と連結フレーム１４の間で、各ガイドロッド１３に沿って昇降可能とされている。
また、治療ボックス２において、カバー筒体１０を降下させた(折り畳んだ)状態でガイドロッド１３と連結フレーム１４を設けていない平面視略半円状の空間から使用者が出入りできる。
【００１９】
昇降支持部１６には、支持リング１６ｂの下側に略円筒形状で蛇腹状のカバー筒体１０の上端部が連結されている。カバー筒体１０は昇降支持部１６の昇降によって伸縮作動すると共に伸張した状態でその内側を囲った筒状の空間を形成可能である。カバー筒体１０は伸縮状態に関わらず、その下端部が自重で垂下されて下部フレーム１２上に当接している。なお、カバー筒体１０の下端部と下部フレーム１２とはマグネットやフック等の連結部材によって係合させることが可能である。
カバー筒体１０は例えば冷却ガス等の気体を通気させない合成樹脂製のシート１０ａで形成され、蛇腹の凹凸状をなす筒状周面の凸部には芯材として例えば鋼製でリング状の線材１０ｂが所定間隔で配設されている。カバー筒体１０は樹脂シートを二重に重ねて形成してもよく、この場合には内側の樹脂シートの低温が外側の樹脂シートに伝達しにくい。カバー筒体１０は非通気性で高強度である。
【００２０】
また、連結フレーム１４の長手方向中間部にはプーリ１８ａを備えたプーリ保持部１８が固定され、プーリ１８ａを介してワイヤｗを摺動可能に支持している。プーリ１８ａを挟んでワイヤｗの一端は昇降支持部１６の支持リング１６ｂに固定され、他端は駆動装置４に設けたワイヤｗの巻き取りドラム１９に連結されている(図８参照)。そのため、巻き取りドラム１９でワイヤｗを巻き取ることで昇降支持部１６を介してカバー筒体１０を伸長可能であり、ワイヤｗを引き出すことでカバー筒体１０を収縮(折り畳み)可能である。
操作パネル５には、操作ボタンとして、カバー筒体１０を昇降させる昇降ボタンと冷却ガスの噴出と停止をさせるＯＮ，ＯＦＦボタン等が設置されている。昇降ボタンのうちの上昇ボタンは、使用者の背丈に応じてカバー筒体１０を任意の高さ位置まで上昇させることができ、上昇ボタンを離すことで任意の高さ位置に停止させることができる。
【００２１】
図３において、下部フレーム１２の内側には例えば合成樹脂製のシート材が例えば円形の底面２１として配設され、その中心点を挟む回転対称な位置に２つのノズル２２が設置されている。このノズル２２は図示しないチューブを介して駆動装置４から液体窒素の貯蔵タンク３に接続されており、高圧をかけて液体窒素を供給して冷却ガスとして周方向外側に向けて噴出可能である。なお、底面２１に切れ目を形成した冷却ガスを一部漏洩させてガス圧が高くなるのを抑制してもよい。
【００２２】
各ノズル２２の噴出口には、例えばワイヤからなる複数のガイド線２３が径方向に対して所定方向に湾曲し且つ上方に傾斜して配列されている。ノズル２２から噴出される冷却ガスはガイド線２３に沿って周方向外側に向けて螺旋状を描いて広がりつつ流れる。
なお、ノズル２２を水平方向と垂直方向上側に所定角度を持たせることで、冷却ガスが上方に向けて螺旋状に噴出されるようにしてもよく、この場合にはガイド線２３は設けなくてよい。
或いは、ノズル２２のガイド線２３を設けずにノズル２２自体を略円弧状に湾曲または傾斜させて形成してもよいし、ノズル２２の先端に冷却ガスの流れをガイドするガイド壁を湾曲または傾斜させて形成してもよい。
【００２３】
底面２１の上部には、使用者が乗る基台としてステップ台２５が設置されている。ステップ台２５は、例えば図５に示すように、円板状のテーブル２５ａとその裏面の周囲に所定間隔で垂下させた脚部２５ｂと略円弧状の支持板２５ｃとを有している。各脚部２５ｂの間、２つの支持板２５ｃの間には各ノズル２２から噴出された冷却ガスが中心側から外側に流れる空間が形成されている。
【００２４】
蛇腹状のカバー筒体１０とステップ台２５のテーブル２５ａとの間には、冷却ガスを通気させるためのリング状の隙間ｋが形成されている。そのため、図６に示すように、ノズル２２から噴出される冷却ガスはステップ台２５の裏面側でガイド線２３にガイドされて螺旋状に外側に広がり、カバー筒体１０とステップ台２５の間の隙間ｋを通して螺旋を描きながら上方に流れる。ステップ台２５の上方では、冷却ガスはカバー筒体１０の内周面に沿って更に螺旋状に流れる。
【００２５】
図７において、ワイヤｗは、カバー筒体１０の外側の領域で分断されており、例えば上側のワイヤｗの端部にはフック２７が連結され、下側のワイヤｗの端部にはフック２７と係止するループ部２８が連結されている。そのため、常態では、フック２７とループ部２８が係合した状態で、ワイヤｗの引っ張りと引き出しの切り換えによってカバー筒体１０の昇降動作を切り換え操作できる。
極低温リカバリー装置１の使用状態で停電等の緊急事態が起きた場合には、作業員がワイヤｗのフック２７をループ部２８から分離すれば、カバー筒体１０を自重で迅速に降下させて収縮させる。フック２７とループ部２８は係止部材に含まれる。
【００２６】
次に、駆動装置４の内部構造について図８及び図９により説明する。
図８、図９は駆動装置４の外側の筐体を除いた図であり、支持板３０の上部に枠体３１が形成され、その上部には操作パネル５からの操作指示を受けてカバー筒体１０の昇降による伸縮と冷却ガスの噴出及び停止を電気的に駆動制御する制御用ボックス３２が固定されている。
【００２７】
支持板３０上で治療ボックス２側のスペースには、カバー筒体１０の昇降用の駆動モータＭが設置され、その出力軸には図示しない減速機構を介してワイヤｗの巻き取りドラム１９が連結されている。駆動モータＭの一方側の回転駆動によって巻き取りドラム１９でワイヤｗを巻き上げるとカバー筒体１０が上昇して伸張し、他方側の回転駆動によってワイヤｗを繰り出すとカバー筒体１０が降下して収縮する。
【００２８】
また、巻き取りドラム１９の先端部には非常時落下速度調整用のダンパー３３が装着されている。駆動装置４の筐体に設けた非常停止ボタン３４を操作することで、ダンパー３３によってカバー筒体１０の降下速度を減速させて蛇腹による人の挟み込みを防止できる。
或いは、非常停止ボタン３４の操作で、カバー筒体１０を通常の昇降動作よりも急速に降下するようにしてもよい。治療の際に使用者が例えば体調不良になった場合等に治療ボックス２から迅速に退出させることができる。非常停止ボタン３４とダンパー３３は非常停止手段に含まれる。
【００２９】
また、図９において、支持板３０上で貯蔵タンク３側の別のスペースには、排気用ファン３６と乾燥用ファン３７が設置されている。排気用ファン３６は、治療ボックス２の使用終了後にカバー筒体１０内に残存する冷却ガスを排気する。乾燥用ファン３７は、治療ボックス２の使用終了後にカバー筒体１０内やその周辺環境に湿気が残存すると次の使用時に凍結して人体に付着する恐れが生じるため、使用前にカバー筒体１０内から湿気を除去して乾燥させる。
【００３０】
本実施形態による極低温リカバリー装置１は上述した構成を有しており、次にその使用方法を説明する。
極低温リカバリー装置１で治療を受ける使用者の服装は適宜選択できるが、例えばブーツとズボンを履き、上半身裸の状態で液体窒素の冷却ガスに接触される。図２に示すように、極低温リカバリー装置１はカバー筒体１０を収縮した（折り畳んだ）状態にあり、治療ボックス２のガイドロッド１３及び連結フレーム１４を設けない空間の入口から使用者が入ってステップ台２５上に立つ。
【００３１】
次に、操作パネル５の昇降ボタンの操作により、駆動モータＭを駆動してワイヤｗを巻き取りドラム１９で巻き取るとワイヤｗで引っ張られてカバー筒体１０が昇降支持部１６を介して上昇する。これにより、図１０に示すように、カバー筒体１０がガイドロッド１３に沿って上昇し、昇降支持部１６が頭部の下側に至った位置で停止させる。カバー筒体１０は使用者の背丈や車椅子等に着座した状態の高さ等に応じて、頭部の下側位置で停止させる。
【００３２】
次に、駆動装置４により貯蔵タンク３の液体窒素を図示しないチューブを介して高圧でステップ台２５下側の一対のノズル２２に送り出し、ノズル２２から高圧の液体窒素ガスを冷却ガスとして径方向外側に向けて噴出させる。噴出された冷却ガスは複数のガイド線２３にガイドされて一方向に湾曲させられながら上向きの角度でステップ台２５の裏面側を走行しつつ拡散し、カバー筒体１０とステップ台２５の隙間ｋから螺旋状の渦を描いて上方に流れる。冷却ガスは適宜温度、例えば−１３０℃前後に調整されている。
【００３３】
ステップ台２５の上側では、冷却ガスはカバー筒体１０の内周面に沿って螺旋状に旋回しながら上方に送られる。冷却ガスはカバー筒体１０の内周面を螺旋状に旋回して撹拌されるため、使用者の周囲に均等に分散されて充満され、カバー筒体１０内が一気に冷却される。これにより、冷却ガスが使用者の身体全体に均等に接触して冷却できる。そのため、身体の一部が冷えすぎることはなく、ステップ台２５の上で使用者が回転する必要がない。
そして、所定時間(例えば２〜３分程度)経過後、操作パネル５のＯＦＦボタンの操作により冷却ガスの噴出を停止させ、降下ボタンの操作により駆動モータＭで巻き取りドラム１９を逆回転させてワイヤｗを引き出す。これに連動して、カバー筒体１０内の冷却ガスは排気用ファン３６によって強制的に排気される。昇降支持部１６と共にカバー筒体１０がガイドロッド１３に沿って降下し、図２に示す位置に収縮させられる。そして、使用者は治療ボックス２から退出する。
【００３４】
なお、治療ボックス２のカバー筒体１０内に冷却ガスを供給中に、使用者が体調不良になる等の非常事態が生じた場合には、駆動装置４に設けた非常停止ボタン３４を押すことで、ノズル２２からの冷却ガスの噴出を停止させて排気用ファン３６で強制的に排気する。また、駆動モータＭを駆動させてワイヤｗを巻き取りドラム１９から引き出して、カバー筒体１０を急速に降下させて収縮させる。
これによって治療は終了し、使用者は治療ボックス２から外に退出することができる。しかも、ダンパー３３によってカバー筒体１０の降下(収縮)作動の速度を減速させることで、カバー筒体１０に手や足を挟み込む等を防止できる。
【００３５】
また、極低温リカバリー装置１による治療中に停電等の緊急事態が発生すると、カバー筒体１０が降下しなくなる。その際には、作業者が図７に示すワイヤｗのフック２７をループ部２８から手動で外すことで、カバー筒体１０を一気に降下させることができる。
そのため、非常事態時や停電等の緊急時に治療ボックス２のカバー筒体１０を降下させて開口させ、冷気を逃がすと共に使用者が退出できるため、使用者の安全を確保できる。
【００３６】
上述のように本実施形態による極低温リカバリー装置１によれば、冷却ガスで治療される人を囲うカバー筒体１０がガイドロッド１３に沿って昇降可能であるため、使用者の背丈や着座状態での高さ等に応じて、カバー筒体１０の高さを任意に調整可能である。
しかも、極低温リカバリー装置１は、折り畳み可能で軽量のカバー筒体１０及びステップ台２５と、ガイドロッド１３及び連結フレーム１４及び下部フレーム１２と、駆動装置４及び貯蔵タンク３とに分離して持ち運びできるため可搬性が高く移動が容易である。
【００３７】
また、ノズル２２とガイド線２３により、冷却ガスをステップ台２５の下側で径方向外側及び上方に拡散させながら螺旋状に放出でき、更にステップ台２５とカバー筒体１０との隙間ｋから上方にカバー筒体１０の内周面に沿って螺旋状に送風させて撹拌することができるため、冷却ガスをカバー筒体１０内で均等に分散できる。そのため、カバー筒体１０内の使用者に冷却ガスが均等に接触して効率的に治療できる。しかも、冷却ガスは直接、ステップ台２５上の使用者に当たらないため安全性が高い。
更に、非常時には非常停止ボタン３４を押すことで、迅速にカバー筒体１０を降下させて冷却ガスを排気用ファン３６で排気できる。また、停電等の緊急時にはワイヤｗのフック２７をループ部２８から手動で外すことで、カバー筒体１０を降下させて急速に冷気を逃がすことができる。
【００３８】
なお、本発明による極低温リカバリー装置１は、上述した実施形態に限定されるものではなく、本発明の要旨を逸脱しない範囲で様々な置換や変形等を適用することができる。以下に本発明の変形例について説明するが、上述した実施形態と同一または同様な部分や部材には同一の符号を用いて説明する。
【００３９】
例えば、上述した実施形態では、カバー筒体１０を蛇腹で形成してガイドロッド１３に沿って昇降可能としたが、本発明はこのような構成に限定されない。例えばカバー筒体１０は単純な円筒状のストレートカーテン形状でもよい。
また、治療ボックス２のフレーム部９において、カバー筒体１０を昇降可能に支持するガイドロッド１３を３本設けたが、ガイドロッド１３の本数は適宜設定できる。例えば１本、２本でもよいし、４本以上でもよい。
【００４０】
また、ノズル２２の配置構成の変形例として、カバー筒体１０の下部内周面にその接線方向に沿って複数のノズル２２を所定間隔で上向きに配列させて冷却ガスを噴出させれば、カバー筒体１０の内周面に沿って下側から上方に向けて螺旋状に流すことができる。
また、ノズル２２から噴出する冷却ガスの流れは必ずしも螺旋状でなくてもよい。例えば、ステップ台２５の下側で周方向に複数のノズル２２を放射状に配列させて径方向外側に冷却ガスを噴出させ、ステップ台２５とカバー筒体１０との隙間ｋを通して下側から上方に向けて分散させながら放出するようにしてもよい。
これらの場合には、冷却ガスは直接使用者に当たることなくカバー筒体１０の内周面に沿って下側から上方に向けて流動させることができ、上側で冷却ガスの気流を撹拌できるため均等に分散できる。
【００４１】
また、ノズル２２の一方に液体窒素の開閉を制御する制御弁を設けてもよい。この場合、ステップ台２５の裏側の温度が設定されて低温になるよう制御弁の開閉制御を行ってもよい。
また、冷却ガスはノズル２２を設けずにチューブから高圧で直接噴出させてもよい。
なお、貯蔵タンク３と液体窒素を供給するチューブとチューブの先端に設けたノズル２２は冷却ガス噴出手段に含まれる。
ワイヤｗは索状部材に含まれ、索状部材としてワイヤｗ以外にチェーン等を採用できる。
【符号の説明】
【００４２】
１  極低温リカバリー装置
２  治療ボックス
３  貯蔵タンク
４  駆動装置
５  操作パネル
１０  カバー筒体
１２  下部フレーム
１３  ガイドロッド
１４  連結フレーム
１６  昇降支持部
１９  巻き取りドラム
２２  ノズル
２３  ガイド線
２５  ステップ台
２７  フック
２８  ループ部
ｋ  隙間
ｗ  ワイヤ
Ｍ  駆動モータ  
【図１】
2019146922.tif 000003
【図２】
2019146922.tif 000004
【図３】
2019146922.tif 000005
【図４】
2019146922.tif 000006
【図５】
2019146922.tif 000007
【図６】
2019146922.tif 000008
【図７】
2019146922.tif 000009
【図８】
2019146922.tif 000010
【図９】
2019146922.tif 000011
【図１０】
2019146922.tif 000012